(57)【要約】【課題】  シース外被剥ぎ作業を軽減させるとともに、保護スリーブを保持でき、しかも、保護スリーブの通し忘れを防止できるようにし、ファイバ接続の作業性を向上させる。【解決手段】  光ファイバ１１を保持し融着接続するために、この光ファイバ１１の先端部同士を互いに対向配置させて融着機に取り付けられるファイバホルダ１００において、ホルダ基体上に、光ファイバ１１を同軸に位置決めする位置規制部１７と、光ファイバ１１に外挿して融着接続部を覆う保護スリーブ２７を収納可能にするスリーブ収容部２９とを設けた。光ファイバ１１と保護スリーブ２７は、一つの蓋部材７１でホルダ基体１３上に押圧して位置決め固定することができる。蓋部材７１には、少なくとも光ファイバ１１の移動を規制する滑り止め手段３９が設けられることが好ましい。【選択図】  図１
2011048404.tif 000002
【特許請求の範囲】
【請求項１】
光ファイバを保持し融着接続するため該光ファイバの先端部同士を互いに対向配置させて融着機に取り付けられるファイバホルダであって、
ホルダ基体の上面には、光ファイバを相手側光ファイバと同軸に位置決めするための位置規制部および前記光ファイバに外挿される保護スリーブの一端側の一部分を収容する凹溝状のスリーブ収容部が形成され、
前記光ファイバと前記保護スリーブを一つの蓋部材で前記ホルダ基体上に押圧して位置決め固定することを特徴とするファイバホルダ。
【請求項２】
前記蓋部材には、少なくとも前記光ファイバの移動を規制する滑り止め手段が設けられていることを特徴とする請求項１記載のファイバホルダ。
【発明の詳細な説明】
【技術分野】
【０００１】
本発明は、光ファイバを保持し融着接続するため光ファイバの先端部同士を互いに対向配置させて融着機に取り付けられるファイバホルダに関する。
【背景技術】
【０００２】
光ファイバの接続は、先端同士を突き合せて融着機により融着接続することが一般的に行われている。光ファイバ同士を融着接続する際、融着機に装着され各光ファイバをそれぞれ保持して先端が互いに対向した状態に位置規制するファイバホルダが特許文献１，２に記載されている。
【０００３】
特許文献１には、光ファイバをホルダに保持してそのホルダを切断機に装着することで光ファイバの先端部を切断するとともに、そのホルダ装着の際にホルダが切断機に対し係合し、光ファイバの軸方向の位置決めが行われ、ホルダからの口出し長を一定にできる技術が開示されている。特許文献２には、ホルダを平面的に移動させるだけで、光ファイバの被覆除去、光ファイバの切断および融着を行えるようにし、融着接続機構造を簡素化し、また、蓋を開けば、被覆除去部、切断部および融着部がすべて開放状態で観察できるようにして、各部の点検、整備、清掃などが簡単に行える技術が開示されている。
【先行技術文献】
【特許文献】
【０００４】
【特許文献１】特開平９−１１３７５２号公報
【特許文献２】特開平１０−３９１６１号公報
【発明の概要】
【発明が解決しようとする課題】
【０００５】
ところで、一般的に、光ファイバの融着接続部は、保護スリーブによって保護される。そのため、融着接続作業の際には、予め融着前に一方の光ファイバに保護スリーブを外挿しておき（光ファイバを保護スリーブに挿通しておき）、融着接続完了後、融着接続部上に移動して接続部を保護スリーブで覆っていた。
しかしながら、従来のファイバホルダには保護スリーブの保持機能が無く、ファイバホルダに保護スリーブが入らないため、ファイバホルダ外（或いは融着機風防外）に導出されている光ファイバ上に保護スリーブを配置し、融着接続後に保護スリーブを接続部上に移動させていた。このため、保護スリーブの移動長が大きくなり作業性を低下させた。特に、光コードでは、保護スリーブを外挿するためにシース外被を外部導出部分とホルダ内部分との合計長分の長さ剥がなければならず、外被剥ぎ作業に労力を要し、ファイバ接続作業性を低下させた。また、外挿した保護スリーブが保持できないため、特に電柱上等の高所作業時においては、保護スリーブが光ファイバを伝ってズレ落ちる問題もあった。さらに、従来のファイバホルダは光ファイバのみを把持する構造であったため、保護スリーブの挿通忘れを生じさせる一因ともなっていた。
本発明は上記状況に鑑みてなされたもので、シース外被剥ぎ作業を軽減させるとともに、保護スリーブを保持でき、しかも、保護スリーブの通し忘れを防止できるファイバホルダを提供し、もって、ファイバ接続作業性の向上を図ることを目的とする。
【課題を解決するための手段】
【０００６】
本発明に係る上記目的は、下記構成により達成される。
（１）  光ファイバを保持し融着接続するため該光ファイバの先端部同士を互いに対向配置させて融着機に取り付けられるファイバホルダであって、
ホルダ基体の上面には、光ファイバを相手側光ファイバと同軸に位置決めするための位置規制部および前記光ファイバに外挿される保護スリーブの一端側の一部分を収容する凹溝状のスリーブ収容部が形成され、
前記光ファイバと前記保護スリーブを一つの蓋部材で前記ホルダ基体上に押圧して位置決め固定することを特徴とするファイバホルダ。
【０００７】
このファイバホルダによれば、従来、少なくともホルダから外部に導出されたコード部分のシース外被を保護スリーブの全長分、剥がなければならず、剥ぎ量がこの外部導出剥ぎ部分とホルダ内剥ぎ部分との合計長となり、シース外被剥ぎ量が大きくなって作業性を低下させていたのに対し、外挿した保護スリーブごとコードをホルダ内に把持することで、スリーブ収容部に収容する保護スリーブの長さ分、シース外被剥ぎ量を少なくできる。また、保護スリーブをファイバホルダに保持できる。さらに、スリーブ収容部を保護スリーブ通し作業存在の目印とすることができる。
とりわけ、光ファイバと保護スリーブの位置決め固定、及び固定解除を一つの蓋部材の一度の開閉操作で行うことができ、光ファイバ同士の接続に関し、迅速な作業が可能となる。
【０００８】
（２）  前記蓋部材には、少なくとも前記光ファイバの移動を規制する滑り止め手段が設けられていることを特徴とする上記（１）記載のファイバホルダ。
【０００９】
このファイバホルダによれば、光ファイバ用蓋部材が閉められたとき、光ファイバが滑り止め手段を介して光ファイバ用蓋部材に移動不能に把持され、光ファイバの位置決め精度を高めることができる。
【発明の効果】
【００１０】
本発明に係るファイバホルダによれば、融着接続部を覆うための保護スリーブが収納されるスリーブ収容部を備えたので、スリーブ収容部に収容する保護スリーブの長さ分、シース外被剥ぎ量を少なくできる。この結果、シース外被剥ぎ作業を軽減させてファイバ接続作業性を向上させることができる。また、保護スリーブをファイバホルダに保持できるので、特に、電柱上等の高所作業時において保護スリーブが光ファイバを伝ってズレ落ちることを防止できる。さらに、スリーブ収容部の存在により保護スリーブの通し忘れを防止することができる。
【図面の簡単な説明】
【００１１】
【図１】本発明の参考例に係るファイバホルダの蓋部材を開放した斜視図である。
【図２】図１に示したファイバホルダの平面図である。
【図３】図１に示したファイバホルダの蓋部材を閉止した斜視図である。
【図４】図１に示すファイバホルダを装着した融着機の斜視図である。
【図５】本発明の実施の形態に係るファイバホルダの斜視図である。
【図６】図５に示したファイバホルダの蓋部材を閉止した斜視図である。
【発明を実施するための形態】
【００１２】
以下、本発明に係るファイバホルダの参考例を図面を参照して説明する。
図１は本発明に係るファイバホルダの蓋部材を開放した斜視図、図２は図１に示したファイバホルダの平面図、図３は図１に示したファイバホルダの蓋部材を閉止した斜視図である。なお、本参考例では、光ファイバとしてテープ心線を図示して説明する。
本参考によるファイバホルダ１００は、光ファイバ１１を保持し融着接続するため光ファイバ１１の先端部同士を互いに対向配置させて後述の融着機に取り付けられる。ファイバホルダ１００は、樹脂材料等によりなる扁平直方体状のホルダ基体１３を有する。ホルダ基体１３の上面には光ファイバ１１を相手側光ファイバと同軸に位置決めするための位置規制部１７が形成され、位置規制部１７は光ファイバ１１を内方に嵌め入れて軸線方向の２箇所を位置規制する略Ｖ字状の一対の溝付板部１９ａ，１９ｂを有する。位置規制部１７の溝付板部１９ａ，１９ｂに位置決めされた光ファイバ１１は、ホルダ基体１３の前端側（図１の右端側）から接続先端部１１ａが突出される。
【００１３】
ホルダ基体１３には光ファイバ用蓋部材２１が設けられ、光ファイバ用蓋部材２１はホルダ基体１３の側部に嵌入された回転支持軸２３により、ホルダ基体１３の側部にヒンジ結合されており、回転支持軸２３を回転中心とした回動動作で、図３に示すように位置規制部１７を覆う。光ファイバ用蓋部材２１は、ホルダ基体１３の上に被さる略平板状で、その片側部には開閉操作時に手指をかける把持部２５が突設されている。光ファイバ用蓋部材２１は、閉止時に、不図示の係止部によりホルダ基体１３に係止され、光ファイバ１１を押圧して光ファイバ１１の移動を規制する。
【００１４】
ホルダ基体１３の上面には光ファイバ１１に外挿された保護スリーブ２７の一端側一部分を収容する凹溝状のスリーブ収容部２９が形成され、スリーブ収容部２９は他端がホルダ基体１３の後端側（図１の左端側）で開口される。
【００１５】
ここで、保護スリーブ２７について説明する。
保護スリーブ２７は、熱収縮チューブ３１と、熱収縮チューブ３１に挿通した不図示の心棒及び接着チューブとを備える。熱収縮チューブ３１は、加熱機によって所定温度に加熱すると、熱収縮して、挿通されている心棒に密着した状態になる。心棒は、中実の丸棒で、補強用の心材として、熱収縮チューブ３１に挿通される。心棒としては、鋼線、ガラスなどが用いられる。接着チューブは、心棒に縦添えした形態で熱収縮チューブ３１内に挿通された接着剤製のチューブであり、熱収縮チューブ３１を熱収縮させる際の加熱で軟化して、熱収縮チューブ３１と心棒との隙間を埋める接着剤となる。
【００１６】
ホルダ基体１３には保護スリーブ用蓋部材３３が設けられ、保護スリーブ用蓋部材３３はホルダ基体１３の側部に嵌入された回転支持軸３５により、ホルダ基体１３の側部にヒンジ結合されており、回転支持軸３５を回転中心とした回動動作で、図３に示すように、スリーブ収容部２９を覆う。保護スリーブ用蓋部材３３は、ホルダ基体１３の上に被さる略平板状で、その片側部には開閉操作時に手指をかける把持部３７が突設されている。保護スリーブ用蓋部材３３は、閉止時に、不図示の係止部によりスリーブ収容部２９に係止され、保護スリーブ２７を押圧して脱落規制する。
【００１７】
本実施の形態によるファイバホルダ１００は、光ファイバ１１と保護スリーブ２７をそれぞれ個別の光ファイバ用蓋部材２１、保護スリーブ用蓋部材３３でホルダ基体１３上に押圧して位置決め固定する。光ファイバ１１の接続時には光ファイバ用蓋部材２１と保護スリーブ用蓋部材３３の双方を開けて光ファイバ１１を配置し、光ファイバ用蓋部材２１を閉めて光ファイバ１１を把持した後、保護スリーブ用蓋部材３３を閉めて保護スリーブ２７が把持される。これにより、保護スリーブ用蓋部材３３の閉蓋動作と共に保護スリーブ２７の有無確認が行え、単一蓋部材で光ファイバ１１と保護スリーブ２７の双方を同時に把持する構造に比べ保護スリーブ外挿工程を一層忘れ難くできる。また、蓋部材を分離することで、光ファイバ用蓋部材２１が外力（保護スリーブ２７が動くことによる力）によって動くことを防止し、光ファイバ１１の位置決め精度を高めることができる。
【００１８】
光ファイバ用蓋部材２１、保護スリーブ用蓋部材３３のうち、少なくとも光ファイバ用蓋部材２１には光ファイバ１１の移動を規制する滑り止め手段３９が設けられている。滑り止め手段３９としては、例えば研磨紙（３Ｍ社製の「トライザクト（商品名）」等）を好適に用いることができる。滑り止め手段３９を貼着することで、光ファイバ用蓋部材２１が閉められたとき、光ファイバ１１が滑り止め手段３９を介して光ファイバ用蓋部材２１に移動不能に把持され、光ファイバ１１の位置決め精度を高めることができる。
【００１９】
また、滑り止め手段３９は、保護スリーブ用蓋部材３３の保護スリーブ接触面に貼着してもよい。保護スリーブ用蓋部材３３に滑り止め手段３９を貼着すれば、保護スリーブ２７の保持性を高めることができる。
【００２０】
光ファイバ用蓋部材２１、保護スリーブ用蓋部材３３は、透明材料で形成するようにしても良い。このように光ファイバ用蓋部材２１、保護スリーブ用蓋部材３３を透明材料で形成すれば、蓋部材を開けずに収容されている光ファイバ１１、保護スリーブ２７の位置決め状態、収容状態を目視確認することが可能となる。
【００２１】
ファイバホルダ１００は、現地の相手側光ファイバを融着接続する後述の融着機に取り付けられると、そのままで、ホルダ基体１３から延出する接続先端部１１ａが融着位置に位置決めされるようになっている。
【００２２】
次に、ファイバホルダ１００を使用する融着機の実施の形態を説明する。
図４は図１に示すファイバホルダを装着した融着機の斜視図である。
融着機５１は、光ファイバ設備の工事が行われる現地で、光ファイバ１１，１１Ａ同士を融着接続する装置である。この融着機５１は、光ファイバ１１を、ファイバホルダ１００ごと取り付けることで、融着位置に位置決めするホルダ装着部５３及び、相手側光ファイバ１１Ａを、同じく相手側ファイバホルダ６５ごと取り付けることで、融着位置に位置決めするホルダ装着部６１と、各ホルダ装着部５３，６１で位置決めされて、先端を互いに突き合せた光ファイバ１１，１１Ａ同士を融着接続する融着処理部５５と、融着処理部５５で融着接続した光ファイバ１１と相手側光ファイバ１１Ａの融着接続部の外周に被せた保護スリーブ２７をヒータにより加熱収縮させる熱収縮処理部５７とを備えている。
【００２３】
融着処理部５５は、通常は、開閉カバー５９によって覆われる装置の上面部に設けられている。融着処理部５５は、現地の相手側光ファイバ１１Ａをセットするホルダ装着部６１と、ホルダ装着部５３にセットされてファイバホルダ１００から延出する光ファイバ１１の接続先端部１１ａを位置決めするＶ溝部材６３と、ホルダ装着部６１にセットされた相手側ファイバホルダ６５から延出する光ファイバ１１Ａの先端位置を位置決めするＶ溝部材６７と、これらの一対のＶ溝部材６３，６７間に配置されて、突き合されたファイバ同士を放電によって融着させる電極６９とを備えている。
【００２４】
光ファイバ１１を位置決めするＶ溝部材６３と、相手側光ファイバ１１Ａを位置決めするＶ溝部材６７は、光ファイバ１１と相手側光ファイバ１１Ａを一直線上に支持・位置決めするように寸法設定されている。
【００２５】
次に、ファイバホルダ１００及び融着機５１を使って、光ファイバを融着接続する方法を説明する。
光ファイバ１１と相手側光ファイバ１１Ａを融着接続するには、先ず、相手側光ファイバ１１Ａを、相手側ファイバホルダ６５を用いてホルダ装着部６１に装着しておく。
【００２６】
光ファイバ１１は、保護スリーブ２７を外挿し、保護スリーブ２７の一部分をファイバホルダ１００に収容した状態で保持する。次いで、ファイバホルダ１００をホルダ装着部５３にセットする。融着処理部５５において、ホルダ装着部５３に装着されたファイバホルダ１００に位置決めされている光ファイバ１１と、ホルダ装着部６１に装着された相手側ファイバホルダ６５に位置決めされている相手側光ファイバ１１Ａとを融着接続する。
【００２７】
そして、融着接続部を形成した後、光ファイバ１１及び相手側光ファイバ１１Ａを、ファイバホルダ１００及び相手側ファイバホルダ６５から取り出して、融着接続部の上に保護スリーブ２７を被せる。更に、融着接続部を覆った保護スリーブ２７を、熱収縮処理部５７に移載して、保護スリーブ２７の熱収縮チューブ３１を加熱収縮させ、収縮した熱収縮チューブ３１により融着接続部を補強して光ファイバ同士の接続を完成する。
【００２８】
図５は一つの蓋部材を備えた本発明の実施の形態に係るファイバホルダの斜視図、図６は図５に示したファイバホルダの蓋部材を閉止した斜視図である。
なお、先の参考例では、光ファイバ１１と保護スリーブ２７をそれぞれ個別の光ファイバ用蓋部材２１、保護スリーブ用蓋部材３３で押圧して位置決め固定する構成を説明したが、本発明に係るファイバホルダは、図５，６に示す実施の形態のように、光ファイバ１１と保護スリーブ２７を一つの蓋部材７１で押圧して位置決め固定するものである。このような単一蓋部材７１を備えたファイバホルダ１００Ａによれば、光ファイバ１１と保護スリーブ２７の位置決め固定、及び固定解除を蓋部材７１の一度の開閉操作で行うことができ、迅速な作業が可能となる。また、蓋部材７１、蓋部材開閉構造を単一にできるので、製造コストを安価にすることができる。更に、スリーブ収容部２９Ａを長く形成できるとともに、溝付板部１９ｂを省略して位置規制部１７の構造を簡素化することができる。
【００２９】
上記したファイバホルダ１００，１００Ａでは、保護スリーブ２７を直近に保持して作業が行え、融着接続後の保護スリーブ２７の移動長を小さくできる。特に、光コードの場合、従来、少なくともホルダから外部に導出されたコード部分のシース外被を保護スリーブの全長分、剥がなければならず、剥ぎ量がこの外部導出剥ぎ部分とホルダ内剥ぎ部分との合計長となり、シース外被剥ぎ量が大きくなって作業性を低下させていたのに対し、外挿した保護スリーブ２７ごとコードをホルダ１００，１００Ａ内に把持することで、スリーブ収容部２９，２９Ａに収容する保護スリーブ２７の長さＬ（図２参照）分、シース外被剥ぎ量を少なくできる。また、保護スリーブ２７をファイバホルダ１００，１００Ａに保持できる。さらに、スリーブ収容部２９，２９Ａを保護スリーブ通し作業存在の目印とすることができる。
【００３０】
したがって、上記構成のファイバホルダ１００，１００Ａによれば、融着接続部を覆うための保護スリーブ２７が収納されるスリーブ収容部２９，２９Ａを備えたので、保護スリーブ２７を直近に保持して作業が行え、融着接続後の保護スリーブ２７の移動長を小さくして作業性を向上させることができる。特に、光コードの接続では、スリーブ収容部２９，２９Ａに収容する保護スリーブ２７の長さＬ分、シース外被剥ぎ量を少なくできる。この結果、シース外被剥ぎ作業を軽減させてファイバ接続作業性を向上させることができる。また、保護スリーブ２７をファイバホルダ１００，１００Ａに保持できるので、特に、電柱上等の高所作業時において保護スリーブ２７が光ファイバ１１を伝ってズレ落ちることを防止できる。さらに、スリーブ収容部２９，２９Ａの存在により保護スリーブ２７の通し忘れを防止することができる。
【００３１】
本発明に係るファイバホルダは、上記の実施の形態等に限定されるものでないことは勿論である。例えば、蓋部材は、回転支持軸にばね部材が装着されて常時開方向に付勢されていて、閉止時に、不図示の係止部をホルダ基体に係止させて固定する。このように構成すると、蓋部材は予め開いた状態に設けられているので、電柱上等の高所作業時において、光ファイバ及び保護スリーブを容易に収容できて、ファイバ接続の作業を良好にすることができる。
【符号の説明】
【００３２】
１１  光ファイバ
１１ａ  ファイバの先端部
１３  ホルダ基体
１７  位置規制部
２１  光ファイバ用蓋部材
２７  保護スリーブ
２９  スリーブ収容部
３３  保護スリーブ用蓋部材
３９  滑り止め手段
５１  融着機
１００  ファイバホルダ
【図１】
2011048404.tif 000003
【図２】
2011048404.tif 000004
【図３】
2011048404.tif 000005
【図４】
2011048404.tif 000006
【図５】
2011048404.tif 000007
【図６】
2011048404.tif 000008